(57)【要約】本発明はマウス及びマウス台に関し、より詳しくは、マウスを把持する人差し指と中指がかかられる指支持部の高さを調節することによって、楽にマウスを手で把持することができるとともに、マウスケーブルが上記指支持部から上方に延長されて、人差し指と中指とが会う間を通るように連結されて、マウスケーブルが邪魔にならないマウス及びそのマウスを使用するためのマウス台に関する。  本発明によるマウスは、コンピューターのポインタを動かして、クリック命令を入力するためのマウスにおいて、上記マウス本体の上部には上下ガイド部が形成され、幅方向の両側に支持アームが形成されて、上記上下ガイド部に支持されて、上下に移動されるように設置された指支持部を含むことを特徴とする。  また、本発明によるマウス台は、上記のマウスを利用するためのマウス台において、上記マウスを置いて移動させるための上面を有するパッドと；上記パッドの上部に折り畳まれたり開かれる方向に回転が可能に、下端部が上記パッドの後端部にヒンジで連結された連結部と；上記連結部の前方に折り畳まれたり開かれる方向に回転が可能に、後端部が上記連結部の上端部にヒンジで連結された延長部と；を有し、上記マウスから引出されたマウスケーブルは上記延長部の前端部から引出されて、上記マウスに連結されることを特徴とする。
2010535378.tif 000002
【特許請求の範囲】
【請求項１】
コンピューターのポインタを動かしてクリック命令を入力するためのマウスにおいて、
上記マウス本体の上部には上下ガイド部が形成され、
幅方向の両側に支持アームが形成されて、上記上下ガイド部に支持されて上下に移動されるように設置された指支持部を含むことを特徴とするマウス。
【請求項２】
上記マウスのケーブルは、上記指支持部の支持アームの間から引出されるように連結されることを特徴とする請求項１に記載のマウス。
【請求項３】
請求項２のマウスを利用するためのマウス台において、
上記マウスを置いて移動するための上面を有するパッドと、上記パッドの上部に折り畳まれたり開かれる方向に回転が可能に、下端部が上記パッドの後端部にヒンジで連結された連結部と、上記連結部の前方に折り畳まれたり開かれる方向に回転が可能に、後端部が上記連結部の上端部にヒンジで連結された延長部を有し、上記マウスから引出されたマウスケーブルは、上記延長部の前端部から引出されて上記マウスに連結されることを特徴とするマウス台。
【請求項４】
上記延長部には、上部に物を放置することができるトレーが備えられることを特徴とする請求項３に記載のマウス台。
【請求項５】
上記連結部には、コンピューターに連結されたＵＳＢコネクター、ヘッドホンジャックが備えられることを特徴とする請求項３または４に記載のマウス台。
【発明の詳細な説明】
【技術分野】
【０００１】
本発明はマウス及びマウス台に関し、より詳しくは、マウスを把持する人差し指と中指がかかられる指支持部の高さを調節することによって、楽にマウスを手で把持することができるとともに、マウスケーブルが上記指支持部から上方に延長されて、人差し指と中指とが会う間を通るように連結されて、マウスケーブルが邪魔にならないマウス及びそのマウスを使用するためのマウス台に関する。
【背景技術】
【０００２】
個人用コンピューターの使用が急増するとともに、最近コンピューターを運営するソフトウェアにも諸変化があった。現在、最も広く使われているコンピューターの運営体制はウィンドウズ（登録商標）ソフトウェアであるが、ウィンドウズで駆動される大部分のプログラムは、短縮キーを利用して命令を入力することもできるが、大部分の命令語はアイコンで指定されていて、マウスを活用する場合に、実行しようとする命令を正確に実行させて、簡単に所望のファイルに移動することができて、非常に使いやすい。従って、マウスは作業能率を向上することができるという点で必須な入力装置として使われている。
【０００３】
上記のようなマウスは、ゴムボールを利用したボールマウスと、光を利用した光センサー式マウス、またボールマウスと光センサー式マウスを組み合わせた光機械式マウスがある。
【０００４】
このようなマウスは、画面上でカーソルまたは他の物体を移動させる時使用する入力装置の一つとして、本体が手に握りやすい形状の小さなボックス形状に形成され、指が触れる所に一つまたは三つまでのボタンが付いている。マウスを手で握って平たい机の底を動かせると、それに従って、画面では矢印や十字形のマウスポインタが動くようになり、命令を入力しようとする場合、人差し指と中指を利用してボタンを押せばそれによる命令が入力される。
【発明の概要】
【発明が解決しようとする課題】
【０００５】
上述したように、マウスの使用の時、人差し指と中指を利用してボタンを押すので、人差し指と中指が多く使用される。しかし、従来のマウスは手の平でマウス本体を包み握って人差し指と中指を動かす構造であるため、人差し指と中指に疲れが誘発されるとともに、本体の大きさが一定であるため、手の大きさによってマウスを使用するのに不便な場合が発生される。例えば、手が大きい場合に、指の長さが長いにもかかわらず、本体の大きさが一定であるため、使用者は指を曲げてマウス本体を手で把持しなければならないため、手が早く疲れる。
【０００６】
また、従来のマウスは、マウスケーブルのマウス本体の前方から始まって延長された構造を有するため、マウスを動かす時、そのケーブルが邪魔になって、マウスの移動が不便な短所を有する。
【０００７】
本発明は上記のような点を鑑みて案出されたもので、本発明の目的はマウスを把持する人差し指と中指とがかかられる指支持部の高さを調節することによって、楽にマウスを手に把持することができるとともに、マウスケーブルが上記指支持部から上方に延長されて、人差し指と中指とが会う間を通るように連結されて、マウスケーブルが邪魔にならないマウスを提供することにある。
【０００８】
また、本発明の他の目的は、上記のように、指支持部が備えられ、マウスケーブルが指支持部から引出されて延長されたマウスを使用するのに便利なマウス台を提供することにある。
【課題を解決するための手段】
【０００９】
上記のような目的を達するために、本発明によるマウスは、コンピューターのポインタを動かしてクリック命令を入力するためのマウスにおいて、上記マウス本体の上部には上下ガイド部が形成され、幅方向の両側に支持アームが形成されて、上記上下ガイド部に支持されて、上下に移動されるように設置された指支持部を含むことを特徴とする。
【００１０】
また、本発明によるマウスは、上記マウスのケーブルは、上記指支持部の支持アームの間から引出されるように連結されることを特徴とする。
【００１１】
また、本発明によるマウスは、上記のマウスを利用するためのマウス台において、上記マウスを置いて移動するための上面を有するパッドと；上記パッドの上部に折り畳まれたり開かれる方向に回転が可能に、下端部が上記パッドの後端部にヒンジで連結された連結部と；上記連結部の前方に折り畳まれたり開かれる方向に回転が可能に、後端部が上記連結部の上端部にヒンジで連結された延長部と；を有し、上記マウスから引出されたマウスケーブルは上記延長部の前端部から引出されて上記マウスに連結されることを特徴とする。
【００１２】
また、本発明によるマウス台は、上記延長部には上部に物を放置することができるトレーが備えられることを特徴とする。
【００１３】
また、本発明によるマウス台は、上記連結部には、コンピューターに連結されたＵＳＢコネクター、ヘッドホンジャックが備えられることを特徴とする。
【発明の効果】
【００１４】
上記のような構成によって、本発明によるマウスは、マウスを把持する人差し指と中指がかかられる指支持部の高さを調節することによって、楽にマウスを手に把持することができるとともに、マウスケーブルが上記指支持部から上方に延長され、人差し指と中指とが会う間を通るように連結されて、マウスケーブルが邪魔にならないという長所を有する。
【００１５】
また、本発明によるマウスは、指支持部が備えられ、マウスケーブルが指支持部から引出されて延長された上記のマウスを使用するのに便利な長所を有する。
【図面の簡単な説明】
【００１６】
【図１】本発明の一実施形態によるマウスを示した斜視図。
【図２】本発明の一実施形態によるマウスを使用する状態を示した斜視図。
【図３】本発明の一実施形態によるマウスを使用する状態を示した側面図。
【図４】本発明の一実施形態によるマウスを使用するマウス台を示した斜視図。
【図５】本発明の一実施形態によるマウスを使用するマウス台の作動を示した側面図。
【発明を実施するための形態】
【００１７】
以下では、図面に示された実施形態を参照して本発明によるマウス及びマウス台をより詳しく説明する。
【００１８】
図１は本発明の一実施形態によるマウスを示した斜視図であり、図２は本発明の一実施形態によるマウスを使用する状態を示した斜視図であり、図３は本発明の一実施形態によるマウスを使用する状態を示した側面図である。
【００１９】
本発明の一実施形態によるマウスは、コンピューターのポインタを移動させるように、下部にボールまたは光センサーが備えられた本体１１を有する。上記本体１１は、上部が手Ｈに把持しやすいように丸いドム形状に形成される。使用者は、上記マウス本体１１を把持して移動させながら、２つのボタンＢをクリックして命令を入力する。また、使用者の便宜のために、マウスを移動させないで、ポインタを移動させたり、ページをめくるように、マウスホイールＷが二つのボタンＢの間に備えられる。本発明は、上記のようなマウス本体１１の上部に人差し指Ｆ１と中指Ｆ２がかかられるための指支持部１３が、上下ガイド部１２に支持されて設置される。図面によれば、上記指支持部１３が上下に移動が可能になるように支持されるための上下ガイド部１２は、上記マウス本体１１の上部に形成される。上記上下ガイド部１２は、上記マウス本体１１の上部に孔が上下に貫通するように形成されて、その端が上方へ所定の高さに突出されるように延長された構造を有する。上記指支持部１３は、マウス本体１１を把持した手Ｈの指の中で人差し指Ｆ１と中指Ｆ２とが支持されるための構成である。図面によれば、上記指支持部１３は、幅方向の両側に翼形状に延長された支持アーム１４ａ、１４ｂが形成されて、その支持アーム１４ａ、１４ｂに人差し指Ｆ１と中指Ｆ２とがかかられて支持される。上記支持アーム１４ａ、１４ｂは、人差し指Ｆ１と中指Ｆ２が楽に支持されるように十分な幅を有し、人差し指Ｆ１と中指Ｆ２とが載置されるように、中央部が凹んで形成される。上記指支持部１３は、その高さが調節されるように、上記上下ガイド部１２によって支持されて、上下に移動されるように設置される。即ち、上記指支持部１３は、上記上下ガイド部１２に下端部が挿入されて、上下に移動するように設置される。従って、使用者は、上記指支持部１３を上記上下ガイド部１２の上方に抜き取って高さを高くすることができるとともに、上記上下ガイド部１２に挿入して高さを低めることができる。
【００２０】
一方、本発明によるマウス１０は、コンピューターに連結されたマウスケーブル１５が邪魔にならないように、上記指支持部１３の支持アーム１４ａ、１４ｂの間から引出されて連結される。これによって、上記マウスケーブル１５は、使用者が手Ｈでマウス本体１１を把持した状態で、上記指支持部１３に支持された人差し指Ｆ１と中指Ｆ２とが連結された間を通って上方に延伸される。これによって、本発明は上記マウスケーブル１５が邪魔にならない。特に、上記のように、指支持部１３の支持アーム１４ａ、１４ｂの間から引出されたマウスケーブル１５は、下述するマウス台２０によって上方に延長されてぶら下げられることによって、使用者がマウス１０を移動させる時、移動動作を邪魔しなくなる。
【００２１】
一方、以下では、上記のような本発明の一実施形態によるマウス１０を便利に使用するために、下述するマウス台２０を詳細に説明する。
【００２２】
図４は本発明の一実施形態によるマウスを使用するマウス台を示した斜視図であり、図５は本発明の一実施形態によるマウスを使用するマウス台の作動を示した側面図である。
【００２３】
図面によれば、本発明の一実施形態によるマウス台２０は、パッド２１、連結部２２及び延長部２３で構成される。
【００２４】
上記パッド２１は、上記マウス１０を置いて移動するための上面を有する板部材である。上記パッド２１の後端部には、上記連結部２２がヒンジ連結されるためのヒンジ２１ａが備えられる。
【００２５】
上記連結部２２は、上記パッド２１に折り畳まれるように連結されて上方に延長された板部材である。図面によれば、上記連結部２２は、上記パッド２１の上部に折り畳まれたり開かれる方向に回転が可能に、下端部が上記パッド２１の後端部に備えられたヒンジ２１ａにヒンジ連結される。上記連結部２２にはコード２５を通じてコンピューターに連結されたＵＳＢコネクター及びヘッドホンジャック２２ｂが備えられる。また、上記連結部２２の上端部には延長部２３が連結されるためのヒンジ２２ａが備えられる。
【００２６】
上記延長部２３は、上記連結部２２の前方へ折り畳まれたり開かれる方向に回転が可能に、後端部が上記連結部２２の上端部に備えられたヒンジ２２ａにヒンジ連結される。上記延長部２３の前端部には、上記マウスから引出されたマウスケーブル１５が連結される。一方、上記延長部２３には、上部に物を放置することができるトレー２３ｂが備えられることができるが、図面には、上記トレー２３ｂが上記連結部２２にヒンジ連結された棒２３ａに着脱可能に形成された例が示されている。
【００２７】
上記のように形成されたマウス台２０は、側面から見て「Ｕ」字状に開かれた状態で、マウス１０がパッド２１の上面に置かれて使われ、図５のように、延長部２３が連結部２２の前方に折り畳まれて、その状態で上記連結部２２がパッド２１の上部に折り畳まれて保管される。
（産業上の利用の可能性）
【００２８】
本発明によるマウスは、マウスを把持する人差し指と中指とがかかられる指支持部の高さを調節することによって、楽にマウスを手で把持することができるとともに、マウスケーブルが上記指支持部から上方に延長されて、人差し指と中指とが会う間を通るように連結されて、マウスケーブルが邪魔にならない長所と、指支持部が備えられ、マウスケーブルが指支持部から引出されて延長された上記マウスを使用するのに有用である。
【符号の説明】
【００２９】
１０    マウス
１１    本体
１２    上下ガイド部
１３    指支持部
１４ａ、１４ｂ  支持アーム
１５    ケーブル
２０    マウス台
２１    パッド
２２    連結部
２２ａ、２２ｂ  ＵＳＢコネクター及びヘッドホンジャック
２３    延長部
２３ａ  アーム
２３ｂ  トレー

【図１】
2010535378.tif 000003
【図２】
2010535378.tif 000004
【図３】
2010535378.tif 000005
【図４】
2010535378.tif 000006
【図５】
2010535378.tif 000007
【国際調査報告】
2010535378.tif 000008
2010535378.tif 000009